(57)【要約】【課題】放送受信装置内にハードディスク等の大容量記憶装置を必要とすることなく多重データを利用する方法及び装置を提供する。【解決手段】放送局が放送番組に対応するデータ放送として、番組内容の問い合わせ先のＵＲＬ，電話番号，住所等のデータあるいは番組内容の詳細なデータ、ＣＭ付加情報として広告元のＵＲＬ，電話番号，住所等のデータを放送する。視聴者は受信したデータを受信装置の有する通信機能により電子メールとして、視聴者端末へ送信する。視聴者は受信した電子メールからＵＲＬ，電話番号，住所，データ等を取り出して利用する。電子メールのＣ．Ｃ．機能を利用することにより複数のメールアドレスに送信することも可能となる。【選択図】  図４
2005020662.tif 000002
【特許請求の範囲】
【請求項１】
放送局が放送番組送出時にデータを多重して送出し；
視聴者が前記データを取り出し；
前記視聴者が前記データを電子メールとして前記視聴者の通信端末に送信して保存し；
前記視聴者が保存された前記データを利用する、
データ多重放送利用方法。
【請求項２】
前記データが広告番組の付加情報である、
請求項１のデータ利用方法。
【請求項３】
前記付加情報が広告元のＵＲＬである、
請求項２のデータ利用方法。
【請求項４】
放送局が放送番組に多重して送出したデータを取り出し；
前記データを電子メールとして視聴者の通信端末に送信する、
データ多重放送受信装置。
【発明の詳細な説明】
【０００１】
【産業上の利用分野】
本出願に係る発明は、現行のテレビジョン放送，ＦＭ音声放送等でのデータ多重放送で放送されるデータコンテンツ、及び今後主流となるディジタルテレビジョン放送，ディジタル音声放送で放送番組とともに放送されるデータコンテンツの利用方法に係るものである。
【０００２】
【従来の技術】
テレビジョン放送あるいはＦＭ音声放送で放送番組に多重して様々のデータを放送するデータ多重放送が行われている。現行のアナログ放送ではデータは放送番組とは区別されて多重放送されるためデータを利用するためには受信装置に特別の回路構成を必要とするが、テレビジョン放送も音声放送も、ともにディジタル放送では放送番組もデータも同じパケットとして放送されるため、データの利用には特別の回路構成を必要としない。
【０００３】
ディジタル放送はこれまで衛星波によってのみ行われてきたが、２００３年１２月から地上波によっても開始されようとしている。
全国を単一のサービスエリアとする衛星波放送に対して、比較的狭い地域をサービスエリアとする、地上波放送では番組内容のみならず、放送されるデータ内容においても地域に密着したきめ細かな情報提供が可能となる。
【０００４】
図１に示すのは、テレビジョン放送を例にして示した放送番組とデータ番組との関係である。
図の（ａ）にテレビジョン放送における放送番組及び広告（ＣＭ）番組の送出状況を、（ｂ）にデータ及びＣＭ付加情報の送出状況を示している。
なお、時間の経過は左から右方向である。
【０００５】
テレビジョン放送番組はステーションブレイク（ステブレ）と呼ばれる放送局の運用用の期間１０と１８の間に番組前タイトル１１，番組本編前半１３，番組本編後半１５，番組後タイトル１６が送出されるがそれぞれの間に番組製作局（キー局）が送出する前ＣＭ１２，中ＣＭ１４，後ＣＭ１７が送出される。また、ステーションブレイク中には送出局（地方局）がステーションブレイクＣＭ２０及び２８を送出する。
この例は放送番組が２つの部分から構成されている場合であるが、中継番組あるいは映画等のようにより多くの部分から放送番組が構成されている場合があることはいうまでもない。
【０００６】
（ｂ）に示すように、ＣＭ付加情報２０，２２，２４，２７及び２８は各々ＣＭ１０，１２，１４，１７及び１８の送出と同時に送出され、データ番組２１，２３及び２５はテレビジョン放送番組が送出されているときに送出される。
【０００７】
前に述べたように、放送番組が送出されている時には放送番組に関連する情報、例えば視聴者参加のクイズやアンケートあるいは番組内容に関する情報、番組に関する問い合わせ先さらには番組と関係のない種々の情報がデータ番組として送出され、ＣＭ番組が送出される時には、ＣＭを補足する情報あるいはＣＭの利用を促進するためのＣＭ付加情報が送出される。
【０００８】
ＣＭ付加情報には広告元連絡先としてＵＲＬ，問い合わせ先電話番号，資料請求先住所等のデータとＣＭ番組の概要，商品ペットネーム，キャッチフレーズ，イベント案内等の短い文字列であるＣＭテキストが記載されている。
【０００９】
ＣＭ付加情報はＣＭ番組の利用を図るために送出されるが、ＣＭ番組と比較するとＣＭ付加情報はより具体的であり、必然的に記録を要する情報が多い。そのため、ＣＭ付加情報を利用するためには何らかの記録媒体にＣＭ付加情報を記録する必要がある。また、ＣＭ付加情報を記録する必要性を視聴者が認識するまでに多少時間が必要となることが多い。
そのような事態に対処するには、ＣＭ付加情報２０，２２，２４，２７及び２８の送出は各々ＣＭ１０，１２，１４，１７及び１８の送出から少し遅れて開始する。
放送番組とデータ番組は、アナログ放送の場合には各々別のチャンネルで送出されるが、ディジタル放送の場合には１つのチャンネルで混在して送出される。
【００１０】
テレビジョンＣＭ番組では様々な商品に関する情報が放送され、消費者の購入意欲の喚起や商品選択に利用されている。しかしながら、従来のＣＭ番組は視聴者への一方的な商品情報の伝達機能しか有していない。そのため、ある商品のＣＭ番組を視聴した消費者が購入意欲を触発されたとしても、具体的な購買行動を起こすとは限らない。
【００１１】
ＣＭ番組の放送が購入行動に結びつかない理由には、次のようなものがある。初めに挙げられるのは、放送されたＣＭ番組の内容を正確に把握することが困難なことである。多くのＣＭ番組の放送時間は、例えば１５秒，３０秒等と非常に短い。そのため、ＣＭ番組中に商品購入のために必要な商品情報，価格情報，連絡先情報があってもこれらを記録することはきわめて困難である。
【００１２】
また、ＣＭ番組は１回だけ放送される一般番組と異なり繰り返して放送されるが、放送予告がなされる一般番組と異なり放送予告がされることはない。そのため、視聴者が必要なＣＭ番組を発見しても、再度の放送がいつあるか不明なため、必要な情報の記録の準備をすることが困難である。
【００１３】
さらにまた、視聴者がＣＭ番組から得る多数の情報を簡単な操作で記録したり、それらの内容を互いに見比べる手段がないため、購入の損得の判断がしにくい。
【００１４】
ＣＭ番組内で広告元との電話番号やホームページアドレス（以下ＵＲＬ（Ｕｎｉｆｏｒｍ  Ｒｅｓｏｕｒｃｅ  Ｌｏｃａｔｏｒ）と記す）等の連絡先が放送されても、電話番号をメモして電話を掛けたり、パソコン上でブラウザを開きホームページを呼び出したりする煩雑さがあるためそれを断念することが多い。
【００１５】
テレビｅ−コマースでは、広告元→商品情報伝達（ＣＭ番組放送）→視聴者→視聴者の購買行動→対価支払い→広告元という商品広告・購入・対価支払いの流れが構成されるが、その中で商品広告から購買への動機付けが円滑かつ効率的に行われることが必要条件になる。
【００１６】
そのためには、第１にこれまでのＣＭ番組視聴から購買行動までの間に横たわる従来技術の問題を最大限除去しなければならない。
【００１７】
第２に広告元が制作したＣＭ番組がどんな視聴者層に対して広告効果を挙げ得たかを追跡調査して広告計画にフィードバックすることにより、初めて広告への投資効果を最大に維持できるため、個々のＣＭ番組の管理番号と、年齢性別等どのような属性を持つ視聴者が購買行動を起こしたかを結びつけるデータを何らかの方法で常時収集できる機能を持つことが必要になる。
【００１８】
ディジタル放送はインターネット等他のディジタル通信手段との親和性が高く、通信回線接続用端子を具えているものが標準品となることが提案されている。図２に示したのはディジタルテレビジョン受信装置の基本的な構成例である。
【００１９】
ディジタルテレビジョン放送は放送番組もデータ番組もともにデータパケットとして送出されるため、受信装置３０は放送電波からアンテナ３１によって取り込んだ電波から放送番組とデータ番組を取り出すためのチューナ及びデコーダを含む受像回路３４がコンピュータに付加されて構成されている。
受信された放送番組はＣＲＴディスプレイ，ＬＣＤディスプレイ，ＰＤＰ等からなり、スピーカ等を含む表示装置３２に出力・表示される。
【００２０】
受像回路３４が接続されるバス３３にはコンピュータ要素として、ＣＰＵ３５，ＲＯＭ／ＲＡＭであるメモリ３６，通信回線４０に接続されるモデム３７が接続されている。
また、バス３３にはさらに受信装置の付属装置として、赤外線リモートコントロ−ラ４１用のリモートコントロ−ラインターフェース３８及び録画・記録再生装置４２用の高速インターフェース３９が接続されている。なお、遊猟放送受信装置の場合にはさらに利用制限用のＣＡＳ（Ｃｏｎｄｉｔｉｏｎａｌ  Ａｃｃｅｓｓ  Ｓｙｓｔｅｍ）インターフェースが接続される。
【００２１】
図３に示したのは、本発明者等が特願２０００−２５７０００（特開２００２−７７８７２）において開示した、放送されたデータを利用する方法である。
このシステムはテレビジョン放送局５０，受信装置であるセットトップボックス５１，表示装置５２及びＣＭ管理サーバ５５から構成され、セットトップボックス５１とＣＭ管理サーバ５５との間はインターネットを利用するネットワーク５４が介在しており、セットトップボックス５１にはさらにハードディスク等の大容量記録装置が含まれている。また、種々の操作は赤外線リモートコントローラ５３を用いて行われる。
【００２２】
テレビジョン放送局５０から送出された放送信号は、テレビジョン受信アンテナを経由してセットトップボックス５１に取り込まれ、テレビジョン映像が表示装置５２に表示される。
【００２３】
視聴者があらかじめＣＭデータの記憶モードを設定し、視聴者がＣＭを見てリモートコントローラ５３を操作した場合には、現ＣＭのＣＭ付加情報と、ＣＭ中の１フレームを取り込んだ静止画データのサムネイル画面、ならびに遅延メモリ内のＣＭ先頭位置マーク以降のＣＭ映像・音声データ１５秒間分、及び受信チャンネル番号受信日時を一括して１アイテム分として記憶媒体に蓄積する。
【００２４】
記録装置としては数ギガバイト程度の固定ディスクが使用され、全データ長，受信年月日・時分秒，受信チャンネル，ＣＭ付加情報，ＣＭテキスト，ＣＭ番組データ，ＣＭ映像圧縮データ，ＣＭ音声圧縮データ，自動削除許可フラグからなり、一例として１５秒のＣＭの場合で４Ｍバイト相当のＣＭデータが蓄積される。
【００２５】
ＣＭ情報データベース中の個々のＣＭ情報データは、視聴者がセットトップボックス５１に入力する広告元名や商品分類コードをキーとしてＣＭ情報データごとに抽出され、表示装置５２に表示される。
また、「サムネイル画面ボタン」をクリックすることにより表示画面が映像に切り替わり、ＣＭが動画表示されると共に音声が再生される。
表示画面中の「ＵＲＬ」ボタンをクリックすると広告元のホームページが呼び出され、「ＴＥＬ」ボタンをクリックすると電話が発呼される。
【００２６】
このようにしてＣＭ情報を利用するが、そのためにはセットトップボックス内にハードディスク等の大容量記憶装置が必要になるため、セットトップボックスの価格が上昇することになる。
【００２７】
また、この通信回線接続用端子を利用して、放送局へ通信しクイズ応募・アンケート回答等を行うことが提案されている。
しかしながら、テレビジョン受信装置の操作部は情報を送り出すために利用するには適しておらず、そのままでは通信を行うには極めて不都合である。
また、テレビジョン装置は本格的な通信機能を有していないため、簡単な通信を行うことはできても、発注等の込み入った内容の通信を行うことは困難である。
【００２８】
【発明の概要】
本出願では、このような事態に対処し、セットトップボックス内にハードディスク等の大容量記憶装置を必要とせずに、込み入った内容の通信を行うことも可能なデータ多重放送利用方法及びデータ多重放送受信装置を提供する。
【００２９】
そのために、データ放送番組あるいはＣＭ付加情報等のデータを受信装置に保存するのではなく、受信装置の有する通信機能によりデータを電子メール（以後単に「メール」という）に取り込んで、パーソナルコンピュータあるいは携帯電話等の視聴者端末へメールを送信する。
視聴者は受信したメールからＵＲＬ，電話番号，住所，データ等を取り出して、利用する。
【００３０】
テレビジョン放送局はテレビジョン番組に対応するデータ放送として、番組内容の問い合わせ先のＵＲＬ，電話番号，住所等のデータあるいはレシピ等の番組内容の詳細なデータ、ＣＭ付加情報として広告元のＵＲＬ，電話番号，住所等のデータを放送する。
【００３１】
視聴者は番組が放送されている期間中にリモートコントローラを用いてセットトップボックスに指令を送り、セットトップボックスはそのときに放送されているデータを取り込んだメールを作成し、予め指定されている視聴者のメールアドレスに通信機能によりメールを送信する。
【００３２】
視聴者はパーソナルコンピュータあるいは携帯電話器でメールを受信し、取り込まれているデータを取りだして利用する。
【００３３】
この構成により、セットトップボックスに大容量の記憶装置を使用する必要がなくなる。
また、視聴者はパーソナルコンピュータあるいは携帯電話器はセットトップボックスと比較して、データの処理がはるかに容易であり、視聴者は必要なデータが送信されているときにメール送信を指令をするという簡単な操作のみで、データを利用可能にすることができる。
さらに、電子メールのＣ．Ｃ．機能を利用することにより複数のメールアドレスに送信することが可能となる。
【００３４】
【実施例】
以下、図面を参照して本発明の実施例を説明する。
以下に説明する実施例においては、本出願に係る発明をディジタルテレビジョン放送に適用した例のみを示すが、本出願に係る発明はその他、現行のテレビジョン放送，ＦＭ音声放送等でのアナログデータ多重放送、及びディジタル音声放送にも適用可能であることは言うまでもない。
【００３５】
図４に本発明に係るシステムの一実施例を示す。
このシステムはテレビジョン放送局６０，セットトップボックス６１，表示装置６２，リモートコントローラ６３，インターネットサーバ６５，通信端末６６及びデータ管理サーバ６７から構成され、セットトップボックス６１，インターネットサーバ６５，通信端末６６及びデータ管理サーバ６７はインターネットを利用するネットワーク６４に接続されている。
【００３６】
セットトップボックス６１の基本的な構成は図２に示された既存のものと同じであり、機能のみが異なっている。この異なっている機能は、既存の装置のメモリ３６を構成しているＲＯＭに書き込まれたプログラムを変更することによって実現され、使用の形態によってはＲＡＭの種類を選択必要もあるが、図によって説明しなければならない事項ではないので、新たな説明を行うことは省略する。
【００３７】
ＲＯＭに書き込まれたプログラムの第１の特徴は、メール機能である。このメール機能により視聴者が指定するデータあるいはＣＭ付加情報をメール本文とするメールが作成され、視聴者が指定するメールアドレスに送信される。
【００３８】
テレビジョン放送局６０から送出された放送信号は、テレビジョン受信アンテナを経由してセットトップボックス６１に取り込まれ、テレビジョン映像が表示装置６２に表示される。
データ放送ではデータ番組の他に、番組内容の問い合わせ先のＵＲＬ，電話番号，住所等のデータ，レシピ等の番組内容の詳細なデータが放送され、ＣＭ付加情報としてはＣＭテキストの他に、広告元のＵＲＬ，電話番号，住所等のデータが放送される。
【００３９】
受信側では、視聴者がセットトップボックス６１で放送番組とともにデータ放送番組を、ＣＭ番組とともにＣＭ付加情報番組を受信し、放送番組とＣＭ番組は表示装置６２で表示される。データ番組及びＣＭ付加情報は表示装置６２に放送番組及びＣＭ番組と同時に表示されるか、あるいは表示機能を切り替えることにより別に表示される。
なお、この場合表示装置６２とは別にデータ番組及びＣＭ付加情報表示用の補助表示装置を設けてもよい。
【００４０】
図４において、視聴者がリモートコントローラ６３を操作するとセットトップボックス６１がデータ放送コンテンツあるいはＣＭ付加情報を本文とし視聴者が指定するパーソナルコンピュータあるいは携帯電話器である通信端末６６を送信先アドレスとするメールが作成され、ネットワーク６４及びインターネットサーバ６５を経由して送信される。
【００４１】
視聴者がデータ放送番組について問い合わせあるいはＣＭについて問い合わせをする場合には、詳細なデータが保存されているデータ管理サーバ６７のＵＲＬから情報を入手する。また、場合によっては電話番号あるいは住所等の情報に基づき電話あるいは郵便等で情報を入手する。
【００４２】
図４に示したネットワーク６４及びインターネットサーバ６５は、ホームネットワーク及びホームサーバに置き換えることが可能であることは言うまでもない。
そのようにすれば、テレビジョン受信機等による受信データを他の装置で利用することが容易になり、外部ネットワークを利用することによる通信コストが低減され、利用情報の外部への漏洩も防止できる。
【００４３】
また、この実施例は視聴者の操作によりセットトップボックス６１から通信端末６６にデータコンテンツを本文とするメールが送信されるいわゆるプッシュ型システムである。
このプッシュ型に代えて、異なる場所から携帯電話機等のデータ通信装置を用いてセットトップボックス６１を操作することにより、データコンテンツを本文とするメールを作らせ、そのデータ通信装置に送信させるいわゆるプル型システムとすることもできる。
【００４４】
図５に、リモートコントローラ６３の構成例を示す。
このリモートコントローラ６３のチャンネル選択キー７０は携帯電話器で用いられている文字入力機能を有しており、このキーを用いてメールを送信するために必要なメールアドレス等通信条件をセットトップボックス６１に送信し、表示装置６２に操作内容を表示させ、通信条件の設定を行いセットトップボックス内のメモリに格納しておく。
【００４５】
操作キー７２及び７３は通信条件設定の際にも使用されるが、重要な機能として、データ放送コンテンツあるいはＣＭ付加情報を取り込みそれを本文とし通信端末６６を宛先とするメールを送信することである。
【００４６】
宛先とすることができるメールアドレスの数は１個に限定されず、複数のメールアドレスを使い分けることも、さらには同報機能あるいはＣ．Ｃ．機能を利用して同時に複数のアドレスにメールを送信することもできる。
操作キー７１はそのために使用されるものであり、この例の場合Ａ，Ｂ，Ｃの３つのアドレスを宛先とすることができる。
また、メール送信元の設定としてはセットトップボックス出荷時に記入されている装置ＩＤを利用することも可能である。
【００４７】
さらなる情報が欲しいデータ放送あるいはＣＭに気がついても、リモートコントローラが手元になかったり、何か他のことをしていたりして、リモートコントローラ６３の操作を直ぐにはできないことがある。
そのような場合でも、データ放送番組あるいはＣＭ付加情報がセットトップボックス６１内に蓄積されていれば、少しぐらいの遅れならば問題なくメール化して送信することが可能である。
そのためには、受信中のデータをセットトップボックス６１内のメモリに一時的に保存しておき、後続のデータを上書きするようにする。
【００４８】
通信端末端末６６に送信されたメールを見ても、文字だけの情報であるから何のデータであるのか判別するのが困難なことがある。このような事態に対処するために、放送番組あるいはＣＭ番組の画面中の１フレームの画面を静止画として取り込み、表示用サムネイル化してメールの添付ファイルとする。
【図面の簡単な説明】
【図１】データ放送番組の説明図。
【図２】デジタルテレビジョン放送受信装置の構成図。
【図３】先行技術の付加情報利用システム構成図。
【図４】本発明の付加情報利用システム構成図。
【図５】本発明で使用するリモートコントローラの説明図。
【符号の説明】
３０  受信装置
３１  アンテナ
３２  表示装置
３３  バス
３４  受像回路
３５  ＣＰＵ
３６  メモリ
３７  モデム
３８  リモートコントロ−ラインターフェース
３９  高速インターフェース
４０  通信回線
４１  リモートコントロ−ラ
４２  録画・記録再生装置
６０  テレビジョン放送局
６１  セットトップボックス
６２  表示装置
６３  リモートコントローラ
６４  ネットワーク
６５  インターネットサーバ
６６  通信端末
６７  データ管理サーバ
７０  チャンネル選択キー
７１，７２，７３  操作キー
【図１】
2005020662.tif 000003
【図２】
2005020662.tif 000004
【図３】
2005020662.tif 000005
【図４】
2005020662.tif 000006
【図５】
2005020662.tif 000007